(57)【特許請求の範囲】
【請求項１】
映像信号が示す映像を表示し、かつ、背景を透過する透明な表示装置と、
前記表示装置の映像及び背景を鑑賞する鑑賞者の位置、前記鑑賞者が注目する前記鑑賞者の注目位置、及び／又は、前記鑑賞者が注目することが予測される対象物に対応する前記背景の注目範囲を検出する検出装置と、
前記映像信号を前記表示装置に送信するとともに、前記検出装置によって検出された前記鑑賞者の位置、前記鑑賞者の注目位置、及び／又は、前記背景の注目範囲に基づいて前記表示装置における前記映像の表示位置を決定する映像処理装置と、を備え、
前記映像処理装置は、
前記鑑賞者の注目位置が前記背景であると判断された場合、前記表示装置において前記映像が前記背景の注目位置又は前記背景の注目範囲に重ならないように前記映像の表示位置を決定する処理を行い、
前記鑑賞者の注目位置が前記映像であると判断された場合、前記表示装置において前記映像が前記背景の注目位置又は前記背景の注目範囲に重なるように前記映像の表示位置を決定する処理を行う、
映像表示システム。
【請求項２】
前記映像処理装置は、前記表示装置において前記映像が前記背景の注目位置又は前記背景の注目範囲に重ならないように前記映像の表示位置を決定する処理を行う際、前記表示装置において前記映像が前記鑑賞者の注目位置近傍に表示させるように前記映像の表示位置を決定する、
請求項１に記載の映像表示システム。
【請求項３】
前記検出装置は前記鑑賞者の視線方向を取得し、
前記映像処理装置は、前記検出装置が取得した前記鑑賞者の視線方向に基づいて、前記鑑賞者の注目位置を前記背景か又は前記映像かの判断をする、
請求項１又は２に記載の映像表示システム。
【請求項４】
前記検出装置は、前記鑑賞者と前記表示装置との距離を検出し、
前記映像処理装置は、検出した前記鑑賞者と前記表示装置との距離に基づいて、前記鑑賞者の注目位置を前記背景か又は前記映像かの判断をする、
請求項１〜３のいずれか１項に記載の映像表示システム。
【請求項５】
前記表示装置は、
主面において入射光の一部を拡散反射し、かつ、主面において入射光の一部を透過する透明なスクリーンと、
前記スクリーンに前記映像を投影する投影装置と、を備える、
請求項１〜４のいずれか１項に記載の映像表示システム。
【請求項６】
前記表示装置は、透明型ＥＬ表示装置又は透明型液晶表示装置である、
請求項１〜４のいずれか１項に記載の映像表示システム。
【発明の詳細な説明】
【技術分野】
【０００１】
本開示は、透明な表示装置に表示する映像と当該表示装置の背景との両方を同時に視認できる映像表示システムに関する。
【背景技術】
【０００２】
特許文献１は、映像を表示する映像表示システムを開示する。この映像表示システムは、映像表示装置としてＣＲＴや液晶ディスプレイだけではなく、スクリーンに映像を写すプロジェクタを利用し、表示する映像を視認できるシステムである。
【先行技術文献】
【特許文献】
【０００３】
【特許文献１】特開２０１０−１１４７６８号公報
【発明の概要】
【発明が解決しようとする課題】
【０００４】
近年、映像表示システムとして、透明なスクリーンや透明なＥＬ表示装置等の透明な表示装置に映像を表示して当該映像と表示装置越しの背景との両方を同時に視認できるシステムが知られている。
【０００５】
本開示は、透明な表示装置において背景と映像とが重なることに起因して、表示装置の背景の視認性が低下することを防止する映像表示システムを提供する。
【課題を解決するための手段】
【０００６】
本開示における映像表示システムは、映像信号が示す映像を表示し、かつ、背景を透過する透明な表示装置と、表示装置の映像及び背景を鑑賞する鑑賞者の位置、鑑賞者が注目する鑑賞者の注目位置、及び／または、鑑賞者が注目することが予測される対象物に対応する背景の注目範囲を検出する検出装置と、映像信号を表示装置に送信するとともに、検出装置によって検出された鑑賞者の位置、鑑賞者の注目位置、及び／または、背景の注目範囲に基づいて表示装置における映像の表示位置を決定する映像処理装置とを備える。
【発明の効果】
【０００７】
本開示における映像表示システムは、透明な表示装置において背景と映像とが重なることに起因して、表示装置の背景の視認性が低下することを防止する。
【図面の簡単な説明】
【０００８】
【図１】本開示にかかる映像表示システムの構成を示す図
【図２】本開示にかかる映像処理装置の構成を示す図
【図３】実施の形態１にかかる映像処理装置による映像処理動作を示すフローチャート
【図４】実施の形態２にかかる映像処理装置による映像処理動作を示すフローチャート
【図５】（ａ）元映像に含まれる文字の加工の一例を説明するための図、（ｂ）元映像に含まれる人の静止画像の加工の一例を説明するための図
【図６】実施の形態３にかかる映像処理装置による映像処理動作を示すフローチャート
【図７】（ａ）透明スクリーンに表示する元映像の一例を示す図、（ｂ）透明スクリーンに表示された映像と背景とが重なった表示映像の一例を示す図
【図８】実施の形態４にかかる映像処理装置による映像処理動作を示すフローチャート
【図９】第２の撮像装置で撮影された背景の一例を示す図
【図１０】実施の形態５にかかる映像処理装置による映像処理動作を示すフローチャート
【図１１】透明スクリーン１１に映像を表示した一例を示す図
【図１２】実施の形態６にかかる映像処理装置による映像処理動作を示すフローチャート
【図１３】（ａ）及び（ｂ）映像処理装置による表示映像の表示位置の決定動作の一例を説明するための図
【図１４】実施の形態７にかかる映像処理装置による映像処理動作を示すフローチャート
【図１５】映像処理装置による表示映像の表示位置の決定動作の一例を説明するための図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
以下、図１〜３を用いて、実施の形態１を説明する。
【００１２】
［１−１．構成］
図１は、本開示にかかる映像表示システムの構成を示す図である。図１に示す映像表示システム１は、透明スクリーン１１と、投影装置１２と、第１の撮像装置２１と、第２の撮像装置２２と、検出装置２３と、映像処理装置３０とを備える。
【００１３】
実施の形態１にかかる映像表示システム１は、透明スクリーン１１に映像を投影する。映像表示システム１は、透明スクリーン１１に投影された映像と透明スクリーン１１の背景との両方を同時に視認できる映像表示システムである。例えば、この映像表示システム１の透明スクリーン１１をサッカースタジアム等の鑑賞室の窓ガラスに適用することにより、鑑賞者は、透明スクリーン１１越しに試合（背景）を鑑賞しながら、透明スクリーン１１に表示される選手情報等の様々な情報をも見ることができる。
【００１４】
透明スクリーン１１は、ガラスや樹脂等の透明な板に、光拡散機能を有するシートを貼り付けて構成される。透明スクリーン１１は、一部の光を透過するとともに、一部の光を拡散反射させる。すなわち、透明スクリーン１１は、背景を透過するとともに、投影装置１２によって投影される映像を拡散反射させて表示する。
【００１５】
投影装置１２は、映像処理装置３０からの映像信号に基づいて、映像光を透明スクリーン１１に投影する。
【００１６】
第１の撮像装置２１は、例えば鑑賞室の室内の天井に設置され、透明スクリーン１１に投影された映像と透明スクリーン１１を通して視認される背景とを撮像し、表示映像データとして映像処理装置３０に送信する。第１の撮像装置２１の一例はカメラやビデオカメラなどである。
【００１７】
第２の撮像装置２２は、例えば鑑賞室の室外の上方に設置され、透明スクリーン１１の背景を直接撮像し、背景画像データとして映像処理装置３０に送信する。第２の撮像装置２２の一例はカメラやビデオカメラなどである。なお、第２の撮像装置２２は、照度及び輝度を検出するセンサであってもよい。この場合、第２の撮像装置２２は、検出した背景の照度及び輝度を映像処理装置３０に送信する。
【００１８】
検出装置２３は、例えば鑑賞室の室内の天井に設置され、鑑賞者の位置を検出して映像処理装置３０に送信する。また、検出装置２３は、鑑賞者の注目位置を検出して映像処理装置３０に送信する。鑑賞者の注目位置とは、鑑賞者が透明スクリーン１１上で注目する位置を示す。例えば、検出装置２３はヘッドトラッキング装置を用いて鑑賞者の頭の向きを検出することにより鑑賞者の注目位置を検出する。或いは、検出装置２３は視線検出装置を用いて鑑賞者の視線を検出することにより鑑賞者の注目位置を検出してもよい。位置検出のための検出装置２３の一例は位置検出センサやウェアラブル装置などであり、注目位置検出のための検出装置２３の一例はヘッドトラッキング装置や視線検出装置などである。
【００１９】
映像処理装置３０は、第１の撮像装置２１から取得した表示映像データが示す透明スクリーン１１の表示映像（映像＋背景）、第２の撮像装置２２から取得した背景画像データが示す透明スクリーン１１の背景、及び、後述する予め分かっている透明スクリーン１１の特性の何れかに基づいて、透明スクリーン１１において背景と映像とが重なるときに映像の視認性を向上するように、映像の変換処理を行う。
【００２０】
また、映像処理装置３０は、第２の撮像装置２２から取得した背景画像データが示す透明スクリーン１１の背景、及び、検出装置２３から取得した鑑賞者の位置及び注目位置の何れかに基づいて、鑑賞者が注目する注目位置又は鑑賞者が注目するであろうと予測される対象物を含む背景の注目範囲の視認性を向上するように、当該背景の注目範囲に映像が重ならないように透明スクリーン１１における映像の表示位置を決める。なお、「背景の注目範囲」については、一例を示しながら後述する。
【００２１】
図２は、本開示にかかる映像処理装置３０の構成を示す図である。図２に示す映像処理装置３０は、第１及び第２の通信部３１、３２と、記憶部３３と、制御部３４とを備える。
【００２２】
第１の通信部３１は、ＩＥＥＥ８０２．１１、Ｂｌｕｅｔｏｏｔｈ（登録商標）、Ｗｉ−Ｆｉ等の規格に準拠して、ネットワークを介してデータ通信を行う通信モジュールである。第２の通信部３２は、ＩＥＥＥ８０２．１１、Ｂｌｕｅｔｏｏｔｈ、Ｗｉ−Ｆｉ等の規格に準拠して、投影装置１２とデータ通信を行う通信モジュールである。
【００２３】
記憶部３３は、ＨＤＤやＳＳＤなどの記憶装置である。記憶部３３は、各種のプログラム、及び、投影装置１２に送信する映像信号であって、透明スクリーン１１に投影する映像を示す映像信号（例えば、試合のスコア、選手に関する情報や顔写真などを示す映像信号）を格納する。なお、映像信号は第１の通信部３１及びネットワークを介して外部装置から提供されるものであってもよい。また、記憶部３３は、透明スクリーン１１の特性（表示装置の背景を透過するときの表示特性）を記憶している。例えば、透明スクリーン１１の特性としては、予め第１の撮像装置２１で撮影した透明スクリーン１１越しの背景を示す背景画像情報を含む。
【００２４】
制御部３４は、ＣＰＵやＭＰＵなどで構成され、映像処理装置３０の全体の動作を制御する。制御部３４は、記憶部３３に格納されたプログラムを実行することによって、各種の機能を実現する。制御部３４の各種の機能については、後述する動作の説明において詳細に説明する。
【００２５】
なお、制御部３４の機能は、ハードウェアとソフトウェアの協同により実現したが、制御部３４を所定の機能を実現するように専用に設計されたハードウェア回路のみで実現してもよい。例えば、制御部３４は、ＣＰＵ、ＭＰＵのみならず、ＤＳＰ、ＦＰＧＡ、ＡＳＩＣ等で構成することができる。
【００２６】
以上、本開示の映像表示システム１及び映像処理装置３０の構成について説明したが、実施の形態１の映像表示システム１は、第１の撮像装置２１で予め撮影した透明スクリーン１１越しの背景を示す背景画像情報（透明スクリーン１１の特性）に基づいて元映像の変換処理を行う。
【００２７】
［１−２．動作］
以上のように構成された実施の形態１の映像表示システム１について、その動作を以下説明する。
【００２８】
本実施の形態１の映像表示システム１では、透明スクリーン１１の特性、すなわち、予め第１の撮像装置２１で撮影した透明スクリーン１１越しの背景を示す背景画像情報に基づいて、透明スクリーン１１において背景と映像とが重なるときに映像の視認性を向上するように、映像の変換処理を行う。これにより、透明スクリーン１１において背景と映像とが重なるときに、透明スクリーン１１の背景に起因して映像の視認性が低下することを抑制することができる。
【００２９】
図３は、実施の形態１にかかる映像表示システム１の映像処理装置３０による映像処理動作を示すフローチャートである。図３に示すように、映像処理装置３０の制御部３４は、記憶部３３に記憶している映像信号が示す元映像の輝度及び色度を分析する（Ｓ１１）。また、制御部３４は、第１の撮像装置２１で撮影されて記憶部３３に記憶されている背景画像情報が示す背景の輝度及び色度を分析する（Ｓ１２）。
【００３０】
次に、制御部３４は、これらの分析結果に基づいて、元映像の補正が必要か否かの判断を行う（Ｓ１３）。具体的には、制御部３４は、透明スクリーン１１において背景と映像とが重なるときに背景に起因して映像の視認性が低下する場合に、元映像の補正が必要と判断する（Ｓ１３のＹＥＳ）。例えば、制御部３４は、元映像の輝度が背景の輝度を考慮した所定のしきい値よりも低い場合、又は、元映像の色と背景の色との差が少ない場合に、元映像の補正が必要と判断する。また、例えば、制御部３４は、元映像のコントラストが所定量よりも小さい場合、又は、元映像と背景とのコントラストが所定量よりも小さい場合に、元映像の補正が必要と判断する。
【００３１】
制御部３４は、元映像の補正が必要であると判断した場合、制御部３４は、透明スクリーン１１において背景と映像とが重なるときに映像の視認性が向上するように、元映像の補正を行う（Ｓ１４）。例えば、制御部３４は、元映像の輝度、色度、コントラストの補正、及び、輪郭強調等を行う。より具体的には、制御部３４は、元映像の輝度の補正において、背景の輝度が明るい場合には元映像の輝度を高める。また、制御部３４は、色度の補正において、背景が黒色や青色、赤色等の暗い色である場合には元映像の色を白色や黄色、水色等の明るい色に変更する。
【００３２】
その後、制御部３４は、補正した映像を示す映像信号を投影装置１２に送信する（Ｓ１５）。
【００３３】
一方、ステップＳ１３において、制御部３４は、元映像の補正が必要でないと判断した場合、元映像を示す映像信号を投影装置１２に送信する（Ｓ１６）。
【００３４】
これにより、投影装置１２は、映像信号に基づいて投影光を生成し、投影光を透明スクリーン１１に投影する。
【００３５】
［１−３．効果等］
以上のように、本実施の形態において、映像表示システム１は、透明スクリーン１１と、投影装置１２と、映像処理装置３０とを備える。透明スクリーン１１と投影装置１２とは、映像信号が示す映像を表示し、かつ、背景を透過する。映像処理装置３０は、投影装置１２に送信する映像信号が示す影像を、透明スクリーン１１の特性（表示装置の背景を透過するときの表示特性）に基づいて変換処理する。
【００３６】
これにより、透明スクリーン１１の特性、例えば、予め第１の撮像装置２１で撮影した透明スクリーン１１越しの背景を示す背景画像情報に基づいて、透明スクリーン１１において背景と映像とが重なるときに映像の視認性を向上するように、映像の変換処理を行うことができる。そのため、透明スクリーン１１において背景と映像とが重なるときに、透明スクリーン１１の背景に起因して映像の視認性が低下することを抑制することができる。
【００３７】
（実施の形態２）
実施の形態１では、映像処理装置３０は、映像信号が示す元映像全体を補正した。実施の形態２では、映像信号が示す元映像が文字、又は、人や動物等の静止画像を含む場合、映像処理装置３０は、映像信号が示す元映像から文字、又は、人や動物等の静止画像を抽出し、抽出した文字や静止画像を加工する。
【００３８】
実施の形態２にかかる映像表示システム１の構成は、図１及び図２を参照して説明した実施の形態１のものと基本的に同様であるが、映像処理装置３０の制御部３４の機能、動作が前述のものと異なる。なお、実施の形態２の映像表示システム１は、第１の撮像装置２１で撮影した透明スクリーン１１越しの背景を示す背景画像情報（透明スクリーン１１の特性）に基づいて元映像の文字や静止画像の変換処理を行う。
【００３９】
以下、図４及び図５を用いて、実施の形態２にかかる映像処理装置３０の動作を説明する。図４は、実施の形態２にかかる映像処理装置３０による映像処理動作を示すフローチャートである。
【００４０】
図４に示すように、映像処理装置３０の制御部３４は、記憶部３３に記憶している映像信号が示す元映像から文字、又は、人や動物等の静止画像を抽出する（Ｓ２１）。制御部３４は、文字を抽出した場合、この文字の輝度、色度、フォントの種類、サイズ等を分析する（Ｓ２２）。また、制御部３４は、人や動物等の静止画像を抽出した場合、この静止画像の輝度、色度等を分析する（Ｓ２２）。また、制御部３４は、記憶部３３に記憶している背景画像情報が示す背景の輝度、色度等を分析する（Ｓ２３）。
【００４１】
次に、制御部３４は、これらの分析結果に基づいて、文字や静止画像の加工が必要か否かの判断を行う（Ｓ２４）。具体的には、制御部３４は、透明スクリーン１１において背景と文字又は静止画像とが重なるときに背景に起因して文字又は静止画像の視認性が低下する場合に、文字や静止画像の加工が必要と判断する。制御部３４は、文字や静止画像の加工が必要であると判断した場合、透明スクリーン１１において背景と文字又は静止画像とが重なるときに文字又は静止画像の視認性が向上するように、文字や静止画像の加工を行う（Ｓ２５）。文字や静止画像の加工の必要性判断、及び、文字や静止画像の加工の一例について以下に説明する。
【００４２】
図５（ａ）は、元映像に含まれる文字の加工の一例を説明するための図であり、図５（ｂ）は、元映像に含まれる人の静止画像の加工の一例を説明するための図である。図５（ａ）の一例では、長方形状の元映像Ａ１０は文字Ａ１１を含み、元映像Ａ１０における文字Ａ１１以外の部分は無色である。また、図５（ｂ）の一例では、長方形状の元映像Ａ２０は人の静止画像Ａ２１を含み、元映像Ａ２０における静止画像Ａ２１以外の部分は無色である。
【００４３】
ここで、本願発明者らは、透明スクリーン１１の背景が黒色等の暗い色である場合（いわゆる、黒背景）、この透明スクリーン１１に表示する文字が青色や赤色等の暗い色であり、かつ、文字のサイズが所定サイズ以下であると、透明スクリーン１１に表示したこの文字を視認し難いことを見出した。また、本願発明者らは、透明スクリーン１１の背景が黒色等の暗い色である場合、この透明スクリーン１１に表示する人や動物等の静止画像を視認し難いことを見出した。このような知見に基づき、本実施の形態では、文字や静止画像が視認し難いときに、これらが視認し易くなるように、文字や静止画像の加工を行う。
【００４４】
すなわち、制御部３４は、例えば図５（ａ）に示すように、元映像Ａ１０から文字Ａ１１を抽出したとき、背景画像情報が示す透明スクリーン１１の背景が黒色等の暗い色であり、かつ、文字Ａ１１が青色や赤色等の暗い色であり、さらに文字Ａ１１のサイズが所定サイズ以下である場合に、文字Ａ１１の加工が必要であると判断する（Ｓ２４のＹＥＳ）。一方、制御部３４は、透明スクリーン１１の背景が黒色等の暗い色であり、かつ、文字Ａ１１が青色や赤色等の暗い色であっても、文字Ａ１１のサイズが所定サイズよりも大きい場合には、文字Ａ１１の加工は必要でないと判断する（Ｓ２４のＮＯ）。また、制御部３４は、透明スクリーン１１の背景が黒色等の暗い色であり、かつ、文字Ａ１１が白色や黄色等の明るい色である場合にも、文字Ａ１１の加工は必要でないと判断する（Ｓ２４のＮＯ）。
【００４５】
制御部３４は、文字Ａ１１の加工が必要であると判断した場合、例えば、文字Ａ１１を水色等の明るい色に変更したり、白色等の明るい色で縁取りをしたり、サイズを所定サイズよりも大きくしたり、フォントの種類を変更したり（例えば、明朝体をゴシック体に変更）して、文字Ａ１１のシルエットを強調する加工を行う（Ｓ２５）。
【００４６】
また、制御部３４は、例えば図５（ｂ）に示すように、元映像Ａ２０から人の静止画像Ａ２１を抽出したとき、背景画像情報が示す透明スクリーン１１の背景が黒色等の暗い色である場合に、静止画像Ａ２１の加工が必要であると判断する（Ｓ２４のＹＥＳ）。
【００４７】
制御部３４は、静止画像Ａ２１の加工が必要であると判断した場合、例えば、人の静止画像Ａ２１の周りに白色等の明るい色の円形の領域Ａ２２を追加したり（丸抜き、いわゆる縁取り処理）、元映像Ａ２０における静止画像Ａ２１以外の部分に水色等の明るい色を設定したり（背景ベタ、いわゆる縁取り処理）、静止画像Ａ２１の周りに光っているようにみえる領域Ａ２３を設ける光彩処理（いわゆる縁取り処理）を施したりして、人の静止画像Ａ２１のシルエットを強調する加工を行う（Ｓ２５）。
【００４８】
その後、制御部３４は、加工した文字や静止画像を含む映像を示す映像信号を投影装置１２に送信する（Ｓ２６）。
【００４９】
一方、ステップＳ２４において加工が必要でないと判断した場合、制御部３４は、元映像を示す映像信号を投影装置１２に送信する（Ｓ２７）。
【００５０】
これにより、投影装置１２は、映像信号に基づいて投影光を生成し、投影光を透明スクリーン１１に投影する。
【００５１】
以上のように、本実施の形態２の映像表示システム１によれば、映像信号が示す元映像が文字、又は、人や動物等の静止画像を含む場合、映像から文字、又は、人や動物等の静止画像を抽出し、透明スクリーン１１の特性、すなわち、予め第１の撮像装置２１で撮影した透明スクリーン１１越しの背景を示す背景画像情報に基づいて、透明スクリーン１１において背景と文字又は静止画像とが重なるときに文字又は静止画像の視認性を向上するように、文字又は静止画像のシルエットを強調する加工を行う。これにより、透明スクリーン１１において背景と映像とが重なるときに、透明スクリーン１１の背景に起因して映像の視認性が低下することを抑制することができる。
【００５２】
（実施の形態３）
実施の形態１及び２では、予め第１の撮像装置２１で撮影した透明スクリーン１１越しの背景を示す背景画像情報（透明スクリーン１１の特性）に基づいて元映像の変換処理を行った。実施の形態３では、透明スクリーン１１に表示された表示映像（映像＋背景）に基づいて元映像の変換処理を行う。
【００５３】
実施の形態３にかかる映像表示システム１の構成は、図１及び図２を参照して説明した実施の形態１のものと基本的に同様であるが、映像処理装置３０の制御部３４の機能、動作が前述のものと異なる。なお、実施の形態３の映像表示システム１は、第１の撮像装置２１の出力に基づいて元映像の変換処理を行う。
【００５４】
以下、図６及び図７を用いて、実施の形態３にかかる映像処理装置３０の動作を説明する。図６は、実施の形態３にかかる映像処理装置３０による映像処理動作を示すフローチャートである。
【００５５】
図６に示すように、映像処理装置３０の制御部３４は、記憶部３３に記憶している元映像を示す映像信号を投影装置１２に送信する（Ｓ３１）。これにより、投影装置１２は、映像信号に基づいて投影光を生成し、投影光を透明スクリーン１１に投影する。第１の撮像装置２１は、透明スクリーン１１に表示された映像と透明スクリーン１１を通して視認される背景とが重なった表示映像を撮像する。
【００５６】
次に、制御部３４は、第１の撮像装置２１で撮像された表示映像を示す表示映像データを取得する（Ｓ３２）。次に、制御部３４は、取得した表示映像データから表示映像の輝度及び色度を分析する（Ｓ３３）。また、制御部３４は、記憶部３３に記憶している映像信号が示す元映像の輝度及び色度を分析する（Ｓ３４）。
【００５７】
次に、制御部３４は、分析した表示映像の輝度及び色度と元映像の輝度及び色度とを比較し（Ｓ３５）、この分析比較結果に基づいて、元映像の輝度及び色度の変更が必要か否かの判断を行う（Ｓ３６）。具体的には、制御部３４は、表示映像の視認性が低下する場合に元映像の輝度及び色度の変更が必要と判断する。制御部３４は、元映像の輝度及び色度の変更が必要であると判断した場合、表示映像がより視認し易くなるように、元映像の輝度及び色度の変更処理を行う（Ｓ３７）。元映像の輝度及び色度の変更の必要性判断、及び、元映像の輝度及び色度の変更処理の一例について以下に説明する。
【００５８】
図７（ａ）は透明スクリーン１１に表示する元映像Ａ３１の一例を示す図であり、図７（ｂ）は透明スクリーン１１に表示された映像と背景とが重なった映像Ａ３２の一例を示す図である。図７（ａ）の例では、元映像Ａ３１は異なる色の円形形状の複数の画像を含む。より具体的には、元映像Ａ３１は、各色において６個ずつからなる白色の画像の列、黄色の画像の列、水色の画像の列、緑色の画像の列、赤色の画像の列、及び、青色の画像の列を含む。
【００５９】
図７（ｂ）の例では、透明スクリーン１１はサッカースタジアムのピッチ及び鑑賞席を含む背景を透過するとともに、図７（ａ）の元映像Ａ３１に基づく映像を表示する。これにより、鑑賞者は、映像と背景とが重なった映像Ａ３２を視認する。透明スクリーン１１に映像を表示する場合、透明スクリーン１１の背景の輝度及び色度に起因して、元映像Ａ３１の明るさや色調が再現されなかったり、視認し難くなったりする。図７（ｂ）の例では、透明スクリーン１１の背景におけるサッカースタジアムのピッチの輝度は明るく、鑑賞席の輝度は暗い。また、図９の説明において後述するように、サッカースタジアムのピッチは主に緑色を含み、鑑賞席は青色や赤色、白色等を含む。このように、透明スクリーン１１の背景は領域ごとに輝度及び色度が異なることがある。
【００６０】
制御部３４は、例えば、映像Ａ３２において元映像Ａ３１の明るさや色調が再現されていない場合に、又は、映像Ａ３２の明るさや色調が背景の明るさや色調に近く映像Ａ３２が視認し難い場合に、元映像Ａ３１の輝度及び色度の変更が必要であると判断する（Ｓ３６のＹＥＳ）。制御部３４は、元映像Ａ３１の輝度及び色度の変更が必要であると判断した場合、例えば、映像Ａ３２において元映像Ａ３１の明るさや色調がより再現されるように、又は、映像Ａ３２がより視認し易くなるように、元映像Ａ３１の輝度及び色度を変更する（Ｓ３７）。このとき、制御部３４は、上述した実施の形態１の元映像の補正処理、及び／又は、実施の形態２の元映像における文字、人や動物等の静止画像の抽出及び加工処理をさらに行ってもよい。
【００６１】
その後、制御部３４は、変更処理を行った映像を示す映像信号を投影装置１２に送信する（Ｓ３８）。
【００６２】
ステップＳ３６において変更が必要でないと判断した場合、制御部３４は、元映像を示す映像信号を投影装置１２に送信する（Ｓ３９）。
【００６３】
これにより、投影装置１２は、映像信号に基づいて投影光を生成し、投影光を透明スクリーン１１に投影する。
【００６４】
以上のように、本実施の形態３の映像表示システム１によれば、透明スクリーン１１に表示された映像と透明スクリーン１１を通して視認される背景とが重なった表示映像を第１の撮像装置２１で撮像し、この表示映像の輝度及び色度に基づいて、表示映像がより視認し易くなるように、元映像の輝度及び色度の変更処理を行う。これにより、透明スクリーン１１において背景と映像とが重なるときに、透明スクリーン１１の背景の輝度及び色度に起因して映像の視認性が低下することを抑制することができる。
【００６５】
（実施の形態４）
実施の形態３では、実際に元映像が透明スクリーン１１上で視認できる映像（元映像＋背景）に基づいて元映像の変換処理を行った。実施の形態４では、透明スクリーン１１の背にある背景に基づいて元映像の変換処理を行う。
【００６６】
実施の形態４にかかる映像表示システム１の構成は、図１及び図２を参照して説明した実施の形態１のものと基本的に同様であるが、映像処理装置３０の制御部３４の機能、動作が前述のものと異なる。なお、実施の形態４の映像表示システム１は、第２の撮像装置２２の出力に基づいて元映像の変換処理を行う。
【００６７】
以下、図８及び図９を用いて、実施の形態３にかかる映像処理装置３０の動作を説明する。図８は、実施の形態４にかかる映像処理装置３０による映像処理動作を示すフローチャートである。
【００６８】
まず、第２の撮像装置２２が透明スクリーン１１の背景を直接に撮像する。次に、図８に示すように、映像処理装置３０の制御部３４は、第２の撮像装置２２で撮影された背景を示す背景画像データを取得する（Ｓ４１）。次に、制御部３４は、取得した背景画像データから背景の輝度、色度、及び後述する背景の注目範囲を分析する（Ｓ４２）。また、制御部３４は、記憶部３３に記憶している映像信号が示す元映像の輝度及び色度を分析する（Ｓ４３）。
【００６９】
次に、制御部３４は、これらの分析結果に基づいて、元映像の輝度及び色度の変更が必要か否かの判断を行う（Ｓ４４）。具体的には、制御部３４は、表示映像の視認性が低下する場合に元映像の輝度及び色度の変更が必要と判断する。制御部３４は、元映像の輝度及び色度の変更が必要であると判断した場合、表示映像がより視認し易くなるように、元映像の輝度及び色度の変更処理を行う（Ｓ４５）。元映像の輝度及び色度の変更の必要性判断、及び、元映像の輝度及び色度の変更処理の一例について以下に説明する。
【００７０】
図９は第２の撮像装置２２で撮影された背景Ｂ４０の一例を示す図である。図９の例では、サッカースタジアムのピッチ及び鑑賞席を含む背景Ｂ４０が示されており、背景Ｂ４０は異なる輝度及び色度の３つの領域Ｂ４１、Ｂ４２、Ｂ４３からなる。上下方向の中央領域Ｂ４１は、サッカースタジアムのピッチに相当し、主に芝の緑色を含む。本実施の形態では、中央領域Ｂ４１は選手のユニホーム等の白色も含む。この領域Ｂ４１の輝度は明るい。また、上下方向の上部領域Ｂ４２及び下部領域Ｂ４３は、鑑賞席に相当し、青色や赤色、白色を含む。これらの領域Ｂ４２、Ｂ４３の輝度は暗い。このように、第２の撮像装置２２で撮影された背景Ｂ４０に、異なる輝度及び色度の複数の領域が存在する場合、背景の注目範囲を分析する。背景の注目範囲とは、第２の撮像装置２２で撮影された背景画像において、鑑賞者が注目するであろうと予測される対象物の範囲又は対象物を含んでそれよりも広い所定の範囲である。例えば、対象物がサッカースタジアムのピッチである場合、背景の注目範囲はピッチの範囲である。対象物がサッカーボールである場合、背景の注目範囲はサッカーボールを含む所定の範囲である。例えば、図９の例では、サッカースタジアムのピッチ（対象物）の範囲Ｂ４１を注目範囲とする（Ｓ４２）。
【００７１】
制御部３４は、例えば、元映像が背景の注目範囲Ｂ４１と重なったとき、元映像の明るさや色調が再現されないことが予測される場合に、又は、元映像の明るさや色調が背景の明るさや色調に近く元映像が視認し難いと予測される場合に、元映像の輝度及び色度の変更が必要と判断する（Ｓ４４のＹＥＳ）。制御部３４は、元映像の輝度及び色度の変更が必要であると判断した場合、例えば、元映像が背景の注目範囲Ｂ４１と重なったとき、元映像の明るさや色調がより再現されるように、又は、元映像がより視認し易くなるように、背景の注目範囲Ｂ４１の輝度及び色度に合わせて元映像の輝度及び色度を変更する（Ｓ４５）。このとき、制御部３４は、上述した実施の形態１の元映像の補正処理、及び／又は、実施の形態２の元映像における文字、人や動物等の静止画像の抽出及び加工処理をさらに行ってもよい。
【００７２】
その後、制御部３４は、変更処理を行った映像を示す映像信号を投影装置１２に送信する（Ｓ４６）。
【００７３】
ステップＳ４４において変更が必要でないと判断した場合、制御部３４は、元映像を示す映像信号を投影装置１２に送信する（Ｓ４７）。
【００７４】
これにより、投影装置１２は、映像信号に基づいて投影光を生成し、投影光を透明スクリーン１１に投影する。
【００７５】
以上のように、本実施の形態４の映像表示システム１によれば、透明スクリーン１１の背景を直接に撮像し、この背景の輝度及び色度に基づいて、表示映像がより視認し易くなるように、元映像の輝度及び色度の変更処理を行う。これにより、透明スクリーン１１において背景と映像とが重なるときに、透明スクリーン１１の背景の輝度及び色度等に起因して映像の視認性が低下することを抑制することができる。
【００７６】
（実施の形態５）
実施の形態１〜４では、透明スクリーン１１に表示される映像の視認性を向上することを目的として元映像の変換処理を行う態様について説明した。実施の形態５では、透明スクリーン１１を通して視認される背景の視認性を向上することを目的として元映像の表示位置を変更する態様について説明する。
【００７７】
実施の形態５にかかる映像表示システム１の構成は、図１及び図２を参照して説明した実施の形態１のものと基本的に同様であるが、映像処理装置３０の制御部３４の機能、動作が前述のものと異なる。なお、実施の形態５の映像表示システム１は、第２の撮像装置２２の出力に基づいて映像の表示位置を決定する。
【００７８】
以下、図１０、図１１及び図９を用いて、実施の形態５にかかる映像処理装置３０の動作を説明する。図１０は、実施の形態５にかかる映像処理装置３０による映像処理動作を示すフローチャートである。
【００７９】
まず、第２の撮像装置２２が透明スクリーン１１の背景を直接に撮像する。次に、図１０に示すように、映像処理装置３０の制御部３４は、第２の撮像装置２２で撮影された透明スクリーン１１の背景を示す背景画像データを取得する（Ｓ５１）。次に、制御部３４は、取得した背景画像データから背景の輝度及び色度を分析し、上述したサッカースタジアムのピッチである背景の注目範囲を検出する（Ｓ５２）。次に、制御部３４は、検出した背景の注目範囲、又は、分析した背景の輝度及び色度に基づいて、透明スクリーン１１において映像が背景の注目範囲に重ならないように、透明スクリーン１１における表示映像の表示位置を決定する（Ｓ５３）。以下、表示映像の表示位置の決定の具体的一例について説明する。
【００８０】
図１１は、透明スクリーン１１に映像を表示した一例を示す図である。図１１の例では、透明スクリーン１１の背景は図９に示すサッカースタジアムの背景Ｂ４０と同一である。
【００８１】
制御部３４は、図９に示すように、また上述したように、取得した背景画像データから背景Ｂ４０の輝度及び色度を分析し、サッカースタジアムのピッチの領域Ｂ４１を、鑑賞者が注目するであろうと予測される対象物（例えば、サッカースタジアムのピッチ）を含む背景の注目範囲として決定する（Ｓ５２）。そして、制御部３４は、図１１に示すように、透明スクリーン１１において背景の注目範囲Ｂ４１に重ならないように、すなわちサッカースタジアムのピッチに重ならないように、映像Ａ１の表示位置を決定する（Ｓ５３）。なお、制御部３４は、分析した背景の輝度及び色度に基づいて、例えば最も暗い輝度の領域（図９の領域Ｂ４２又はＢ４３）を表示位置として決定してもよい。
【００８２】
次に、制御部３４は、決定した表示位置に映像を表示するように制御信号を投影装置１２に送信する（Ｓ５４）。これにより、投影装置１２は、制御信号に従って表示位置の変更を行う。
【００８３】
ところで、本実施の形態では、映像Ａ１は注目範囲Ｂ４１とは異なる背景の注目範囲の拡大映像である。具体的には、この背景の注目範囲は、上述したサッカーボールを含む所定の範囲である。この背景の注目位置の拡大映像Ａ１は、例えば以下のように生成される。
【００８４】
制御部３４は、背景画像データが示す背景からサッカーボールを検出し、サッカーボールを含む所定の範囲を背景の注目範囲Ｂ１として決定し、この注目範囲Ｂ１の画像を拡大した拡大映像を透明スクリーン１１に表示する映像Ａ１として生成する。これにより、注目位置Ｂ１を強調表示することができる。このとき、分析した背景の輝度及び色度に基づいて、映像Ａ１を表示する位置の背景が黒等の暗い色である場合、映像Ａ１に白色等の明るい色で縁取りを行う映像変換処理を行ってもよい。
【００８５】
以上のように、本実施の形態５の映像表示システム１によれば、鑑賞者が注目することが予測される対象物を含む注目範囲Ｂ４１を検出し、検出された注目範囲Ｂ４１に基づいて、透明スクリーン１１において別の注目範囲の映像Ａ１が注目範囲Ｂ４１に重ならないように、透明スクリーン１１における映像Ａ１の表示位置を決定する。これにより、透明スクリーン１１において背景と映像とが重なることに起因して、透明スクリーン１１の背景の視認性が低下することを防止することができる。
【００８６】
（実施の形態６）
実施の形態５では、背景の注目範囲（例えばサッカースタジアムのピッチ）に基づいて表示映像の表示位置を決定した。実施の形態６では、鑑賞者の位置、及び、鑑賞者の注目位置に基づいて映像の表示位置を決定する。
【００８７】
実施の形態６にかかる映像表示システム１の構成は、図１及び図２を参照して説明した実施の形態１のものと基本的に同様であるが、映像処理装置３０の制御部３４の機能、動作が前述のものと異なる。なお、実施の形態６の映像表示システム１は、検出装置２３の出力に基づいて映像の表示位置を決定する。
【００８８】
以下、図１２及び図１３を用いて、実施の形態６にかかる映像処理装置３０の動作を説明する。図１２は、実施の形態６にかかる映像処理装置３０による映像処理動作を示すフローチャートである。
【００８９】
図１２に示すように、映像処理装置３０の制御部３４は、記憶部３３に記憶している元映像を示す映像信号を投影装置１２に送信する（Ｓ６１）。これにより、投影装置１２は、映像信号に基づいて投影光を生成し、投影光を透明スクリーン１１に投影する。検出装置２３は、この透明スクリーン１１に表示された映像及び背景を鑑賞する鑑賞者の位置及び鑑賞者の注目位置を検出する。次に、制御部３４は、検出装置２３で検出された鑑賞者の位置及び鑑賞者の注目位置を取得する（Ｓ６２）。次に、制御部３４は、鑑賞者の位置及び鑑賞者の注目位置に基づいて、透明スクリーン１１における表示映像の表示位置を決定する（Ｓ６３）。例えば、制御部３４は、鑑賞者が背景に注目しているときには背景を見易いように、一方、鑑賞者が映像に注目しているときには映像を見易いように、映像の表示位置を決定する。次に、制御部３４は、決定した表示位置に映像を表示するように制御信号を投影装置１２に送信する（Ｓ６４）。以下、表示映像の表示位置の決定の具体的一例について説明する。
【００９０】
図１３（ａ）及び図１３（ｂ）は、映像処理装置３０による表示映像の表示位置の決定動作の一例を説明するための図である。図１３（ａ）及び図１３（ｂ）の例では、透明スクリーン１１の背景Ｂ１はサッカースタジアムであり、投影装置１２が透明スクリーン１１に投影する映像Ａ１は選手の背番号を示す情報（背景の対象物に関する情報）（バナー表示）である。
【００９１】
図１３（ａ）の例では、最初に、映像Ａ１は透明スクリーン１１において背景Ｂ１の上部に表示される。このとき、鑑賞者Ｃ１が透明スクリーン１１に対して所定距離内に接近し、かつ、鑑賞者Ｃ１の注目位置Ｃ２が背景Ｂ１にある場合、制御部３４は、鑑賞者Ｃ１が背景Ｂ１を見易いように、映像Ａ１の表示位置を例えば透明スクリーン１１の上方に設けられた情報表示部Ｂ２に決定する（Ｓ６３）。そして、制御部３４は、決定した表示位置に映像Ａ１を移動するように投影装置１２を制御する（Ｓ６４）。なお、制御部３４は、映像Ａ１の表示位置を透明スクリーン１１の下方や横方向に決定してもよい。このとき、制御部３４は、映像Ａ１を縮小表示するように投影装置１２を制御してもよい。これにより、投影装置１２は、制御信号に従って表示位置の変更を行う。
【００９２】
一方、図１３（ｂ）に示すように、鑑賞者Ｃ１が透明スクリーン１１に対して所定距離内に接近しておらず、かつ、鑑賞者Ｃ１の注目位置Ｃ２が透明スクリーン１１上方の情報表示部Ｂ２における映像Ａ１にある場合、制御部３４は、鑑賞者Ｃ１が映像Ａ１を見易いように、映像Ａ１が透明スクリーン１１の全面（例えばサッカースタジアムのピッチの全面）に表示されるように映像Ａ１の表示位置及び拡大表示サイズを決定する（Ｓ６３）。そして、制御部３４は、決定した表示位置に映像Ａ１を移動して拡大表示するように投影装置１２を制御する（Ｓ６４）。これにより、投影装置１２は、制御信号に従って表示位置の変更を行う。
【００９３】
なお、鑑賞者Ｃ１が複数人いる場合、複数の鑑賞者Ｃ１の重心位置を上述した鑑賞者Ｃ１の位置としてもよい。また、複数の鑑賞者Ｃ１の複数の注目位置Ｃ２に基づいて、所定時間ごとに映像Ａ１の表示位置を変更してもよい。
【００９４】
以上のように、本実施の形態６の映像表示システム１によれば、鑑賞者Ｃ１の位置及び鑑賞者Ｃ１の注目位置Ｃ２を検出し、検出された鑑賞者Ｃ１の位置及び鑑賞者Ｃ１の注目位置Ｃ２に基づいて、鑑賞者Ｃ１が透明スクリーン１１の背景Ｂ１に注目しているときには、映像Ａ１が背景Ｂ１に重ならないように、透明スクリーン１１における映像Ａ１の表示位置を決定する（図１３（ａ））。これにより、透明スクリーン１１において背景と映像とが重なることに起因して、透明スクリーン１１の背景の視認性が低下することを防止することができる。
【００９５】
一方、鑑賞者Ｃ１が映像Ａ１に注目しているときには、映像Ａ１が背景Ｂ１に重なるように、透明スクリーン１１における映像Ａ１の表示位置を決定する（図１３（ｂ））。これにより、映像Ａ１と背景Ｂ１との両方が同時に視認可能となる。
【００９６】
（実施の形態７）
実施の形態６では、鑑賞者が透明スクリーン１１に接近し、かつ、鑑賞者の注目位置が背景にある場合に映像が背景に重ならないようにした。実施の形態７では、鑑賞者が透明スクリーン１１に接近した場合に映像が背景に重なるようにする。さらに、実施の形態７では、鑑賞者の注目位置の近傍に追加の映像を表示する。
【００９７】
実施の形態７にかかる映像表示システム１の構成は、図１及び図２を参照して説明した実施の形態１のものと基本的に同様であるが、映像処理装置３０の制御部３４の機能、動作が前述のものと異なる。なお、実施の形態７の映像表示システム１は、第２の撮像装置２２の出力及び検出装置２３の出力に基づいて映像の表示位置を決定する。
【００９８】
以下、図１４及び図１５を用いて、実施の形態７にかかる映像処理装置３０の動作を説明する。図１４は、実施の形態７にかかる映像処理装置３０による映像処理動作を示すフローチャートである。
【００９９】
図１４に示すように、映像処理装置３０の制御部３４は、記憶部３３に記憶している元映像を示す映像信号を投影装置１２に送信する（Ｓ７１）。これにより、投影装置１２は、映像信号に基づいて投影光を生成し、投影光を透明スクリーン１１に投影する。検出装置２３は、この透明スクリーン１１に表示された映像及び背景を鑑賞する鑑賞者の位置及び鑑賞者の注目位置を検出する。また、第２の撮像装置２２は透明スクリーン１１の背景を撮像する。
【０１００】
次に、制御部３４は、第２の撮像装置２２で撮影された背景を示す背景画像データを取得し（Ｓ７２）、取得した背景画像データから背景の輝度及び色度を分析し、上述した背景の注目範囲を検出する（Ｓ７３）。また、制御部３４は、検出装置２３で検出された鑑賞者の位置及び鑑賞者の注目位置を取得する（Ｓ７４）。次に、制御部３４は、検出した背景の注目範囲、鑑賞者の位置及び鑑賞者の注目位置に基づいて、透明スクリーン１１における表示映像の表示位置を決定する（Ｓ７５）。例えば、制御部３４は、背景及び映像を見易いように、映像の表示位置を決定する。次に、制御部３４は、決定した表示位置に映像を表示するように制御信号を投影装置１２に送信する（Ｓ７６）。以下、表示映像の表示位置の決定の具体的一例について説明する。
【０１０１】
図１５は、映像処理装置３０による表示映像の表示位置の決定動作の一例を説明するための図である。図１５の例でも、図１３（ａ）及び図１３（ｂ）の例と同様に、透明スクリーン１１の背景Ｂ１はサッカースタジアムであり、投影装置１２が透明スクリーン１１に投影する映像Ａ１は選手の背番号を示す情報である。
【０１０２】
図１５に示すように、鑑賞者Ｃ１が透明スクリーン１１に対して所定距離内に接近した場合に、制御部３４は、映像Ａ１が背景の注目範囲である透明スクリーン１１の全面（例えばサッカースタジアムのピッチの全面）に表示されるように映像Ａ１の表示位置及び拡大表示サイズを決定する（Ｓ７５）。そして、制御部３４は、決定した表示位置に映像Ａ１を移動して拡大表示するように投影装置１２を制御する（Ｓ７６）。これにより、投影装置１２は、制御信号に従って表示位置の変更を行い、サッカースタジアムのピッチの全面に映像Ａ１が重なって表示される。
【０１０３】
また、ステップＳ７５において、鑑賞者Ｃ１が特定の選手（対象物）を含む注目位置Ｃ２に注目している場合、制御部３４は、第２の撮像装置２２からの背景画像データから鑑賞者Ｃ１の注目位置Ｃ２を含む所定の範囲の画像を拡大した拡大映像（追加の映像）Ａ２を生成し、この拡大映像Ａ２の表示位置を鑑賞者Ｃ１の注目位置Ｃ２の近傍に決定する。そして、ステップＳ７６において、制御部３４は、決定した表示位置に拡大映像Ａ２を表示するように投影装置１２を制御する。これにより、投影装置１２は、制御信号に従って表示位置に拡大映像Ａ２を表示し、鑑賞者Ｃ１の注目位置Ｃ２の近傍に拡大映像Ａ２が表示される。このとき、上述したように、分析した背景の輝度及び色度に基づいて、拡大映像Ａ２に白色等の明るい色で縁取りを行う映像変換処理を行ってもよい。
【０１０４】
以上のように、本実施の形態７の映像表示システム１によれば、鑑賞者Ｃ１の位置及び背景の注目範囲（例えばサッカースタジアムのピッチ）を検出し、鑑賞者Ｃ１が透明スクリーン１１に接近したときに、映像Ａ１が背景の注目範囲である例えばサッカースタジアムのピッチの全面に重なるように、透明スクリーン１１における映像Ａ１の表示位置を決定する。これにより、例えば背景Ｂ１の選手と映像Ａ１の選手情報との両方が同時に視認可能となる。
【０１０５】
また、本実施の形態７の映像表示システム１によれば、鑑賞者Ｃ１の注目位置Ｃ２を検出し、注目位置Ｃ２の近傍に、この注目位置Ｃ２を含む所定の範囲の拡大映像（追加の映像）Ａ２を表示するように、透明スクリーン１１における拡大映像Ａ２の表示位置を決定する。これにより、例えば鑑賞者Ｃ１が注目する選手の拡大映像Ａ２をも同時に視認可能となる。
【０１０６】
なお、実施の形態５では、背景の注目範囲に基づいて透明スクリーン１１における映像の表示位置を決定し、実施の形態６では、鑑賞者の位置や鑑賞者の注目位置に基づいて透明スクリーン１１における映像の表示位置を決定したが、実施の形態７のように、背景の注目範囲、及び、鑑賞者の位置や鑑賞者の注目位置の両方に基づいて映像の表示位置を決定してもよい。
【０１０７】
（他の実施の形態）
以上のように、本出願において開示する技術の例示として、実施の形態１〜７を説明した。しかしながら、本開示における技術は、これに限定されず、適宜、変更、置換、付加、省略などを行った実施の形態にも適用可能である。また、上記実施の形態１〜７で説明した各構成要素を組み合わせて、新たな実施の形態とすることも可能である。そこで、以下、他の実施の形態を例示する。
【０１０８】
（１）本実施の形態では、映像信号が示す映像を表示し、かつ、背景を透過する透明な表示装置として、透明スクリーン１１と投影装置１２とを例示した。しかし、表示装置は、自発光方式の透明型ＥＬ表示装置や透明型液晶表示装置等であってもよい。
【０１０９】
（２）本実施の形態では、第２の撮像装置２２と制御部３４とが協働して、サッカースタジアムのピッチやボール等の鑑賞者が注目するであろうと予測される対象物を含む背景の注目範囲の検出を行った。しかし、第２の撮像装置２２が、背景の注目範囲の検出を単独で行える機能を備えてもよい。
【０１１０】
以上のように、本開示における技術の例示として、実施の形態を説明した。そのために、添付図面および詳細な説明を提供した。
【０１１１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１２】
また、上述の実施の形態は、本開示における技術を例示するためのものであるから、特許請求の範囲またはその均等の範囲において種々の変更、置換、付加、省略などを行うことができる。
【産業上の利用可能性】
【０１１３】
本開示は、透明な表示装置に表示する映像と当該表示装置の背景との両方を同時に視認できる映像表示システムに適用可能である。
【符号の説明】
【０１１４】
１  映像表示システム
１１  透明スクリーン
１２  投影装置
２１  第１の撮像装置
２２  第２の撮像装置
２３  検出装置
３０  映像処理装置
３１  第１の通信部
３２  第２の通信部
３３  記憶部
３４  制御部
【図１】
0006726889.tif 000002
【図２】
0006726889.tif 000003
【図３】
0006726889.tif 000004
【図４】
0006726889.tif 000005
【図５】
0006726889.tif 000006
【図６】
0006726889.tif 000007
【図７】
0006726889.tif 000008
【図８】
0006726889.tif 000009
【図９】
0006726889.tif 000010
【図１０】
0006726889.tif 000011
【図１１】
0006726889.tif 000012
【図１２】
0006726889.tif 000013
【図１３】
0006726889.tif 000014
【図１４】
0006726889.tif 000015
【図１５】
0006726889.tif 000016